(57)【特許請求の範囲】
【請求項１】
円盤状の基部の外周面から径方向に突出させて設けた先端部が尖ったスティックピンと、
前記基部の両平面に対向する内面を有する一対の支持部を備えた装身具本体に固定される支持部材とからなり、
前記支持部材が前記一対の支持部によって前記円盤状の基部の中心を貫通する軸を回動自在に支持して、前記スティックピンを起立位置と横倒位置とに回動可能に軸支し、
前記基部の両平面の少なくとも一方に前記支持部の内面方向へ突出する凸曲部を設けるとともに、該基部の外周面に前記一対の支持部の間から外方へ突出して該一対の支持部の側面方向に延びるストッパ部を設け、
前記一対の支持部の少なくとも一方の内面の前記凸曲部の回動軌跡中に凹曲部を形成し、
前記スティックピンを起立位置に回動させたときに、前記基部の凸曲部が前記支持部の凹曲部に係合して該スティックピンが位置決め保持されるとともに、前記ストッパ部が前記支持部の側面に当接して該スティックピンのそれ以上の回動が阻止されるように構成したことを特徴とする装身具用ピン。
【請求項２】
前記スティックピンの起立位置が前記横倒位置から１０５°〜１１０°回動した位置であることを特徴とする請求項１に記載の装身具用ピン。
【請求項３】
請求項１又は２に記載の装身具用ピンと、
前記スティックピンが横倒位置にあるときに該スティックピンの先端部を覆って保護する保護金具とからなる装身具係止用金具であって、
前記保護金具は、装身具本体に固定される支持具と、半円筒状の保護部から両側部が前記支持具を挟むように延びる保護部材とからなり、
前記支持具が前記保護部材を回動可能に軸支し、該保護部材の前記装身具用ピンに対向する側で前記両側部間の前記支持具に近い部分に円柱状の係合部を設けるとともに、前記支持具に前記保護部材が前記保護部によって前記スティックピンの先端部を覆う保護位置に回動されたときに前記係合部を係止する係止部を設け、前記保護部材が前記スティックピンの先端部を開放する位置に回動されたとき、前記円柱状の係合部が前記スティックピンの先端部を押し上げるように構成されたことを特徴とする装身具係止用金具。
【請求項４】
前記保護部材の前記保護部における前記装身具用ピンに対向する側の頂部先端に指掛け用の突片を延設したことを特徴とする請求項３に記載の装身具係止用金具。
【請求項５】
請求項３又は４に記載の装身具係止用金具を装身具本体の裏面側に取り付け、前記装身具用ピンの前記支持部材と前記保護金具の前記支持具とを前記スティックピンの長さに応じた間隔で対向させて固定したことを特徴とする装身具。
【発明の詳細な説明】
【技術分野】
【０００１】
この発明は、ブローチにもペンダントにも使用できる装身具に設ける装身具用ピンと、装身具係止用金具およびそれを設けた装身具に関する。
【背景技術】
【０００２】
ブローチなどの衣服に付ける装身具には、装飾を施した貴金属や宝玉等からなる装身具本体の裏面にスティックピンを突設しており、衣服に装着する際には、そのスティックピンを衣服(布)に刺して、裏側でキャッチを嵌入させて固定し、スティックピンの先端側をキャッチで覆った安全な状態で装着するタイプのものがある。
このような装身具は、使用しないときにはスティックピンにキャッチを嵌めておくが、装身具本体の裏面に略垂直にスティックピンが突設されているため、かさばって収納しにくいし、キャッチが外れた場合には危険であった。
【０００３】
また、鎖や連珠ネックレスなどのいわゆる紐状装身具を身に着ける時に、それらに挿通されて垂れ下がるようにして使用する装身具としてペンダントがある。そのペンダントにはスティックピンは設けられていないので、ブローチとして使用することはできなかった。
【０００４】
そこで、例えば特許文献１には、ブローチ等の装身具本体の裏面側に、ピンを起立位置から装身具本体の裏面に略平行な横倒位置まで回動可能に設けたものが提案されている。
この装身具は、そのピンを安全ピンのように衣服等の布を縫うように表から裏に刺して又表に刺し、横倒状態でその先端部を装身具本体の裏面側に設けられた筒体に挿入させて装着する。そして、使用しないときもピンを横倒状態にしてその先端部を筒体に挿入しておけば、容易に安全な状態で収納できる。
【０００５】
また、その装身具本体に輪環を設けておけば、ピンを横倒状態にしたまま、輪環に鎖等を通してペンダントとして使用することもできる。
【先行技術文献】
【特許文献】
【０００６】
【特許文献１】特開平１１−２５３２１２号公報
【発明の概要】
【発明が解決しようとする課題】
【０００７】
しかしながら、この装身具用ピンは、装身具本体に回動可能に軸支されているが、起立位置に確実に位置決め保持されることはなく、不用意に回動するので、スティックピンとしてキャッチと組み合わせて使用することは想定されておらず、安全ピン式に衣服等に装着しなければならないので装着しにくかった。また、ピンを倒した状態で保持するために先端部を筒体に挿入させる構造が必要になり、その操作性もよくないなどの問題があった。
【０００８】
この発明は、このような問題を解決するためになされたものであり、ブローチとペンダントに兼用できる装身具用ピンあるいは装身具係止用金具において、スティックピンが起立位置で確実に位置決め保持されて、不用意に回動しないようにし、装身具をブローチとして衣服に装着する際にキャッチと組み合わせて使用できるようにすることを目的とする。
また、スティックピンを横倒位置に回動したときに、その尖った先端部が簡単な操作で保護部材で確実に覆われて保護され、装身具を安全な状態でペンダントとして使用できるようにすることも目的とする。
【課題を解決するための手段】
【０００９】
この発明による装身具用ピンは、上記の目的を達成するため、円盤状の基部の外周面から径方向に突出させて設けた先端部が尖ったスティックピンと、その基部の両平面に対向する内面を有する一対の支持部を備えた装身具本体に固定される支持部材とからなり、その支持部材が上記一対の支持部によって上記円盤状の基部の中心を貫通する軸を回動自在に支持して、上記スティックピンを起立位置と横倒位置とに回動可能に軸支する。
【００１０】
そして、上記基部の両平面の少なくとも一方に上記支持部の内面方向へ突出する凸曲部を設けるとともに、その基部の外周面に上記一対の支持部の間から外方へ突出してその一対の支持部の側面方向に延びるストッパ部を設け、その一対の支持部の少なくとも一方の内面の上記凸曲部の回動軌跡中に凹曲部を形成し、上記スティックピンを起立位置に回動させたときに、上記基部の凸曲部が上記支持部の凹曲部に係合して上記スティックピンが位置決め保持されるとともに、上記ストッパ部が上記支持部の側面に当接してそのスティックピンのそれ以上の回動が阻止されるように構成したことを特徴とする。
上記スティックピンの起立位置が横倒位置から１０５°〜１１０°回動した位置であるのが望ましい。
【００１１】
この発明による装身具係止用金具は、上記装身具用ピンと、上記スティックピンが横倒位置にあるときにそのスティックピンの先端部を覆って保護する保護金具とからなる。
そして、上記保護金具は、装身具本体に固定される支持具と、半円筒状の保護部から両側部が上記支持具を挟むように延びる保護部材とからなり、上記支持具が保護部材を回動可能に軸支し、その保護部材の上記装身具用ピンに対向する側で上記両側部間の上記支持具に近い部分に円柱状の係合部を設けるとともに、上記支持具に上記保護部材が保護部によって上記スティックピンの先端部を覆う保護位置に回動されたときに上記係合部を係止する係止部を設け、上記保護部材が上記スティックピンの先端部を開放する位置に回動されたとき、上記円柱状の係合部がスティックピンの先端部を押し上げるように構成されたことを特徴とする。
【００１２】
上記保護部材の保護部における上記装身具用ピンに対向する側の頂部先端に指掛け用の突片を延設するとよい。
さらに、この発明による装身具は、上記装身具係止用金具を装身具本体の裏面側に取り付け、上記装身具用ピンの支持部材と上記保護金具の支持具とを上記スティックピンの長さに応じた間隔で対向させて固定したものであり、ブローチにもペンダントにも使用できる。
【発明の効果】
【００１３】
この発明によれば、スティックピンが起立位置で確実に位置決め保持されて、不用意に回動しないため、装身具をブローチとして衣服に装着する際にキャッチと組み合わせて簡単に装着することができる。
また、スティックピンを横倒位置に回動したときに、その尖った先端部が簡単な操作で保護部材で確実に覆われて保護され、装身具を安全な状態でペンダントとして使用できる。
さらに、その保護部材をスティックピンの先端部を開放する位置に回動させると、スティックピンの先端部が押し上げられるので、その先端部をつまんで容易に起立位置に回動させることができる。
【図面の簡単な説明】
【００１４】
【図１】この発明による装身具用ピンの一実施例をスティックピンが起立位置にある状態で示す正面図とその要部を断面にした図である。
【図２】同じくその装身具用ピンのスティックピンが横倒位置にある状態を示す側面図である。
【図３】図１及び２に示した装身具用ピンと保護金具とからなるこの発明による装身具係止用金具の一実施例を示す側面図である。
【００１５】
【図４】図３に示した装身具係止用金具における保護金具の保護部材がスティックピンの先端部を開放する位置に回動された状態を示す斜視図である。
【図５】同じくその装身具係止用金具におけるスティックピンが起立位置に回動された状態を示す斜視図である。
【図６】同じくその装身具係止用金具における保護金具の保護部材が元の位置に戻された状態を示す斜視図である。
【００１６】
【図７】この発明による装身具をブローチとして使用する場合の衣服への装着状態の例を示す側面図である。
【図８】この発明による装身具をペンダントとして使用する場合の例を示す正面図である。
【図９】同じくその裏面図である。
【発明を実施するための形態】
【００１７】
以下、この発明を実施するための形態を図面を参照して具体的に説明する。
〔装身具用ピンの実施例〕
先ず、この発明による装身具用ピンの実施例を、図１及び図２によって説明する。図１の（Ａ）はこの発明による装身具用ピンの一実施例をスティックピンが起立位置にある状態で示す正面図であり、（Ｂ）はその要部をスティックピンの回転軸線及び起立方向に沿う面で断面にした図である。図２はその装身具用ピンのスティックピンが横倒位置にある状態を示す側面図である。
【００１８】
この装身具用ピン１は、これらの図に明示するように、円盤状の基部１１の外周面から径方向に突出させて設けた先端部１０ａが尖ったスティックピン１０と、その基部１１の両平面１１ａ，１１ｂに対向する内面を有する一対の支持部１２ａ，１２ｂを備えた装身具本体に固定される支持部材１２とからなる。
【００１９】
そして、支持部材１２が一対の支持部１２ａ，１２ｂによって、スティックピン１０の円盤状の基部１１の中心を貫通する軸１３を回動自在に支持して、スティックピン１０を図１に示す起立位置と図２に示す横倒位置とに回動可能に軸支している。
さらに、スティックピン１０の基部１１の両平面１１ａ，１１ｂに支持部１２ａ，１２ｂの内面方向へ突出する凸曲部１１ｄを設けるとともに、その基部１１の外周面に一対の支持部１２ａ，１２ｂの間から外方へ突出して一対の支持部１２ａ，１２ｂの側面１２ｃ方向に延びるストッパ部１４を設けている。
【００２０】
また、一対の支持部１２ａ，１２ｂの内面の基部１１に形成された凸曲部１１ｄの回動軌跡中に凹曲部１２ｄを形成している。支持部材１２の底面には、図示していない装身具本体に嵌合して固定される円柱状の長さが異なる２個の固定用突起１５，１６が設けられている。
なお、凸曲部１１ｄは、基部１１の両平面１１ａ，１１ｂの少なくとも一方の面に設け、凹曲部１２ｄも支持部１２ａ，１２ｂのうちその凸曲部１１ｄと対向する内面だけに形成してもよい。
【００２１】
この装身具用ピン１は、スティックピン１０を図２に示す横倒位置から図１に示す起立位置に回動させたときに、基部１１の凸曲部１１ｄが支持部１２ａ，１２ｂの凹曲部１２ｄに係合してスティックピン１０が位置決め保持されるとともに、ストッパ部１４が支持部１２ａ，１２ｂの側面１２ｃに当接して、スティックピン１０のそれ以上の回動が阻止される。
【００２２】
このように、スティックピン１０を起立させる際に、所定の起立位置で回動が停止され、そこで基部１１の凸曲部１１ｄと支持部１２ａ，１２ｂの凹曲部１２ｄとは係合して位置決め保持されるので、スティックピン１０の起立操作が容易であり、起立後は不用意に回動しないため、装身具をブローチとして衣服に装着する際に、後述する例のようにキャッチと組み合わせて簡単に装着することができる。
【００２３】
このスティックピン１０の起立位置を、図２に示す横倒位置から９０°以上、好ましくは１０５°〜１１０°回動した位置に設定すると、スティックピン１０が支持部材１２の方向に押されても、図２に示した横倒位置に戻る方向に回動する力が働くことは少なくなり、殆どは逆方向に回動するように作用するが、ストッパ部１４が支持部１２ａ，１２ｂの側面１２ｃに当接しているのでその方向に回動することはできないから、スティックピン１０の起立後の不用意な回動を一層確実に防ぐことができる。
【００２４】
〔装身具係止用金具の実施例〕
次に、この発明による装身具係止用金具の実施例を図３から図６によって説明する。
図３はこの発明による装身具係止用金具の一実施例を示す側面図であり、図１及び２に示した装身具用ピン１と、これから説明する保護金具２とからなる。図４は図３に示した装身具係止用金具における保護金具２の保護部材がスティックピン１０の先端部１０ａを開放する位置に回動された状態を、図５はそのスティックピン１０が起立位置に回動された状態を、図６はその保護金具２の保護部材が元の位置に戻された状態を、それぞれ示す斜視図である。
【００２５】
これらの図において、装身具用ピン１は図１及び２に示したものであるから説明を省略する。保護金具２は、図３に仮想線で示す装身具本体３に固定される支持具３１と、半円筒状の保護部３２ａから両側部３２ｂが前記支持具３１を挟むように延びる保護部材３２とからなる。
【００２６】
支持具３１が保護部材３２を軸３３によって回動可能に軸支し、その保護部材３２の装身具用ピン１に対向する側で両側部３２ｂ間の支持具３１に近い部分に円柱状の係合部３４を設けている。一方、支持具３１には保護部材３２が保護部３２ａによってスティックピン１０の先端部１０ａを覆う保護位置（図３に示す位置）に回動されたときに係合部３４を係止する凹曲面を形成した係止部３５を設けている。
【００２７】
そして、保護部材３２が図４に矢示Ａで示すようにスティックピン１０の先端部１０ａを開放する位置に回動されたとき、円柱状の係合部３４がスティックピン１０の先端部１０ａを矢示Ｂで示すように押し上げるように構成されている。
支持具３１の底面には、図３に仮想線で示す装身具本体３に嵌合して固定される円柱状の固定用突起３６が設けられている。
【００２８】
また、この実施例では保護部材３２の保護部３２ａにおける装身具用ピン１に対向する側の頂部先端に、指掛け用の円弧状の突片３２ｃを延設している。この突片３２ｃを省略して、保護部材３２をその両側部３２ｂを指で挟んで、矢示Ａ方向へ回動させるようにしてもよい。
【００２９】
さらに、この装身具係止用金具は、図３に仮想線で示す装身具本体３の裏面側に取り付けられ、装身具用ピン１の支持部材１２と保護金具２の支持具３１とをスティックピン１０の長さに応じた適切な間隔で対向させて固定される。その際、支持部材１２の固定用突起１５，１６と支持具３１の固定用突起３６が、装身具本体３に形成された嵌合穴に嵌合してロウ付けされる。
【００３０】
この装身具係止用金具の装身具用ピン１と保護金具２を、装身具本体３と同様にホワイトゴールド、イエローゴールド、ピンクゴールドなどの貴金属で作成すれば、装身具としての高級感を損なうことがない。但し、装身具本体３の材料よりは硬度が高く、多少ばね性がある方が望ましい。しかし、スプリングは使用しないので耐久性は高い。
【００３１】
この装身具係止用金具は、図３に示すようにスティックピン１０を横倒位置で、その先端部１０ａが保護金具２により保護部材３２の保護部３２ａで覆われれた状態では、保護部材３２の係合部３４が係止部３５によって凹曲面内に係止されて、ロックされた状態になっており、保護部材３２が不用意に回動してスティックピン１０の先端部１０ａが露出することはない。
【００３２】
この状態からスティックピン１０を起立状態にする場合には、保護部材３２の突片３２ｃに指先を掛けて、保護部材３２を図４に矢示Ａで示す方向に回動させると、スティックピン１０の先端部１０ａが開放され、係合部３４がその先端部１０ａに当接して矢示Ｂ方向に押し上げ、スティックピン１０を幾分起立方向へ回動させる。
そのため、そのスティックピン１０を指で挟んで、図５の矢示Ｃで示す方向に容易に回動させることができる。そして、前述したように装身具用ピン１のストッパ部１４が支持部１２ａ，１２ｂの側面１２ｃに当接すると、スティックピン１０の回動が停止され、そこで位置決め保持される。この状態が図５に示す起立状態である。
【００３３】
その後、図５に示す状態になっている保護金具２の保護部材３２を、図６の矢示Ｄ方向に回動させて、同図に示す状態にすれば後方への突出量が少なくなるとともに、保護部材３２の係合部３４が係止部３５によって係止され、ロックされた状態になる。
【００３４】
スティックピン１０を起立位置から横倒位置にする場合には、保護金具２の保護部材３２を図６の矢示Ｄと反対の方向に回動させて、図５に示す状態に戻した後、スティックピン１０を同図の矢示Ｃと反対の方向に強く押して回動させて図４に示す状態にし、保護金具２の保護部材３２を同図の矢示Ａと反対の方向に、係止されるまで回動すればよい。
【００３５】
〔装身具の実施例〕
次にこの発明による装身具の実施例を図７から図９によって説明する。
図７はこの発明による装身具をブローチとして使用する場合の衣服への装着状態の例を示す側面図であり、図８はその装身具をペンダントとして使用する場合の例を示す正面図、図９は同じくその裏面図である。
【００３６】
この実施例の装身具は、前述した装身具用ピン１と保護金具２からなる装身具係止用金具を装身具本体３の裏面側に取り付け、装身具用ピン１の支持部材１２と保護金具２の支持具３１とをスティックピン１０の長さに応じた適切な間隔で対向させて固定したものであり、ブローチにもペンダントにも使用できる。
【００３７】
装身具本体３は、金やホワイトゴールド、イエローゴールド、ピンクゴールドなどの貴金属で種々の美しいデザインに作成され、表側や周囲に宝石や真珠、貴金属玉などの宝玉を多数散りばめることができる。図８及び図９はその装身具本体３の表面側と裏面側の形状の一例を示している。
【００３８】
この装身具本体３をブローチとして使用する場合は、図７に示すようにスティックピン１０を起立位置にして、それを使用者の衣服の布４に刺し通し、その裏側でスティックピン１０を仮想線で示すキャッチ５に挿入すれば、キャッチ５がスティックピン１０にその先端部１０ａ側を覆って固着され、装身具本体３の抜け止めとなる。
このとき、スティックピン１０が横倒位置から１０５°〜１１０°回動した位置で起立していると、直立位置より横倒位置方向と反対方向に１５°〜２０°傾斜して係止されているので、装身具本体３が押されても不用意に倒れる恐れは殆どない。
【００３９】
キャッチ５は、従来からタイタックなどに使用されている公知のものと同様な構造のものでよい。装身具を衣服から外す際には、装身具本体３を押さえながらキャッチ５の球状のつまみ部５ａ又は鍔状部５ｂをつまんで後方（図７では右方）へ引っ張れば、スティックピン１０がキャッチ５から抜けて、簡単に外すことができる。
この装身具をしまって置く時は、前述したようにスティックピン１０を倒してその先端部１０ａを保護金具２の保護部材３２で覆って保護する状態にロックしておけば、スペースを取らず且つ安全である。
【００４０】
この装身具本体３をペンダントとして使用する場合は、図９に示すようにスティックピン１０を横倒位置にして、その先端部１０ａを保護金具２の保護部材３２で覆って保護した状態にロックして、図８に示すように装身具本体３の端部に設けられた孔３ａにネックレス用の鎖（チェーン）６を通せば、それを使用者の首に掛けてペンダントとして使用することができる。
【００４１】
このように、この発明による装身具は、ブローチとペンダントに自由に使い分けることができる。そして、スティックピンが直立状態と倒れた状態とで確実に保持されるので、ブローチとして使用する際の衣服への取り付けや取り外しが容易であり、ペンダントとして使用する際のスティックピンの収納も簡単且つ安全に行うことができる。また、装身具を使用しないときには、スティックピンを倒した位置に係止しておけば、かさばらず、容易且つ安全に収納できる。
装身具本体３の材質やデザインは任意に変更できることは勿論である。
【産業上の利用可能性】
【００４２】
この発明は、ブローチとペンダントに兼用する装身具に最適であるが、タイタックやバッチなど、スティックピンを備えた各種の装身具にも適用可能である。
【符号の説明】
【００４３】
１：装身具用ピン      ２：保護金具      ３：装身具本体
４：衣服の布      ５：キャッチ
１０：スティックピン      １０ａ：先端部      １１：基部
１１ａ，１１ｂ：基部の両平面      １１ｄ：基部の凸曲部
１２：支持部材      １２ａ，１２ｂ：支持部      １２ｃ：支持部の側面
１２ｄ：支持部の凹曲部      １３：軸      １４：ストッパ部
１５，１６：固定用突起
３１：支持具      ３２：保護部材      ３２ａ：保護部      ３２ｂ：両側部
３２ｃ：指掛け用の突片      ３３：軸      ３４：係合部      ３５：係止部
３６：固定用突起
【図１】
0005460286.tif 000002
【図２】
0005460286.tif 000003
【図３】
0005460286.tif 000004
【図４】
0005460286.tif 000005
【図５】
0005460286.tif 000006
【図６】
0005460286.tif 000007
【図７】
0005460286.tif 000008
【図８】
0005460286.tif 000009
【図９】
0005460286.tif 000010